(57)【要約】【課題】  起動方法をカスタマイズできる電子機器において、電力消費が多くなるようなカスタマイズを抑制でき、さらにバッテリー寿命をのばす電子機器起動時のカスタマイズを提供する。【解決手段】  利用者が起動方法をカスタマイズ可能で、設定した条件に基づき起動する場合、動画像データ、静止画像データ、音声データ等を再生し起動する電子機器において、起動時に動画像データ、静止画像データ、音声データ等の再生条件を記憶し、再生条件は動画像データ、静止画像データ、音声データ等をカスタマイズすることができ、カスタマイズの際に、動画像データの音量の変更と、動画像データのフレームレートの変更と、ファイル形式の変換を行い所定の領域に記憶し、カスタマイズがあった場合には警告をし、さらに、変更した動画像データを利用者にプレビューすることができる。【選択図】  図５
2006013785.tif 000002
【特許請求の範囲】
【請求項１】
動画像データ、静止画像データ、及び音声データのうちの少なくとも１つのデータを再生する再生手段と、
起動時の前記再生手段で再生されるデータの再生条件を記憶する起動条件記憶手段と、
前記起動時の前記再生条件をカスタマイズする再生条件変更手段と、
前記再生条件変更手段による変更が指示された場合に、前記電子機器が起動可能な範囲内に前記再生条件がないとき、前記再生条件を前記範囲内に修正するカスタマイズ条件変更手段と、
を具備することを特徴とする電子機器。
【請求項２】
前記再生条件は音声データの音量に関するものであり、前記カスタマイズ条件変更手段は、前記再生条件変更手段により指定された前記音声データの前記音量が、所定の音量より大きいと判断された場合は、前記再生条件の前記音量を小さくするように前記再生条件を修正することを特徴とする請求項１記載の電子機器。
【請求項３】
前記再生条件は動画像データのフレームレートに関するものであり、前記カスタマイズ条件変更手段は、前記再生条件変更手段により指定された前記動画像データの前記フレームレートが、所定のフレームレートより高いと判断された場合は、前記再生条件の前記フレームレートを低くするように前記再生条件を修正することを特徴とする請求項１記載の電子機器。
【請求項４】
前記再生条件は前記再生手段で再生されるデータのファイル形式に関するものであり、前記カスタマイズ条件変更手段は、前記再生条件変更手段により指定されたファイル形式が所定のファイル形式以外のものであると判断された場合は、前記再生条件の前記ファイル形式を前記所定のファイル形式に修正することを特徴とする請求項１記載の電子機器。
【請求項５】
前記カスタマイズ条件変更手段により前記修正された前記再生条件は、前記再生条件の修正内容に基づき前記起動画面のプレビューを再生するとともに前記修正の警告表示をすることを特徴とする請求項１〜４のいずれか１項に記載の電子機器。
【発明の詳細な説明】
【技術分野】
【０００１】
本発明は、電子機器の起動時のカスタマイズを行い、カスタマイズの条件に基づき電力消費を抑制することができる電子機器に関する。
【背景技術】
【０００２】
現在、起動画面などを利用者が任意にカスタマイズできるような機能を備えたさまざまな電子機器が存在する。このような電子機器は、起動時の動画像、静止画像、音声などのカスタマイズができる。また、利用者はカスタマイズ時に、利用者の好むカスタマイズを簡単にすることができる。
【０００３】
特許文献１に記載のデジタルカメラは、パーソナルコンピュータから外部インタフェースを介して設定条件を入力する。そして、パーソナルコンピュータにおいて作成されたカスタマイズリストと、カスタマイズリストの記述によりデジタルカメラの有する複数のアプリケーションプログラムと各種コマンドを選択し組み合わせて処理を行わせる。
【０００４】
このようなカスタマイズ手段により、デジタルカメラのアプリケーションプログラムは次のような動作を行う。
選択されるカスタマイズリストを解析してそこに記述されるカスタマイズ処理をするためのコマンドを呼び出し、カスタマイズリストに記述されたコマンドによって、提示画像の表示時間、提示画像の選択、または提示画像の効果音の選択等を任意に変更を行うことができる。
【０００５】
特許文献２に記載のデジタルカメラでは、電池・バッテリーの残量が所定の閾値以下なら機能を制限することで低消費電力を実現するカメラが提案されている。
また、特許文献３では、電池・バッテリーの残量が所定の閾値以下なら装置内部のオペアンプを駆動する回路の基準電圧を制限することで低消費電力化を実現する携帯端末装置が提案されている。
【特許文献１】特開2001-268417
【特許文献２】特開2001-320626
【特許文献３】特開2003-273655
【発明の開示】
【発明が解決しようとする課題】
【０００６】
しかしながら、電子機器は電池・バッテリー等を電源供給源としているので、電源部である電池・バッテリーの容量が常に一定ではない。また、電池・バッテリーの容量が小さくなり充電や交換が必要となる。
【０００７】
例えば、上記のような電子機器の起動音をカスタマイズするときには、起動時の音量を大きく設定をすると、大音量にするために電流を多く流しすぎ、その上、電子機器の起動時は電流がもともと多く流れるため、電子機器に必要な起動時の電流が供給されずに起動できなくなる。
【０００８】
また、起動時に電池・バッテリーの残量をチェックすると、起動時間が遅くなってしまう。
また、電池・バッテリーの状態により起動条件が変わってしまうため、操作する利用者に違和感を与えてしまうことがある。
【０００９】
本発明は、上記課題に鑑みてなされたもので、利用者が、自分のお気に入りの動画像データなどを起動画面にカスタマイズすることが可能な電子機器で、起動時の負荷を低減させるようにカスタマイズを制限することにより、電子機器が電池・バッテリーの状態によって起動しなくなることを未然に防ぐ電子機器を提供することを目的とする。
【課題を解決するための手段】
【００１０】
請求項１記載による発明は、動画像データ、静止画像データ、及び音声データのうちの少なくとも１つのデータを再生する再生手段と、起動時の前記再生手段で再生されるデータの再生条件を記憶する第１の起動条件記憶手段と、前記起動時の前記再生条件をカスタマイズする再生条件変更手段と、前記再生条件変更手段による変更が指示された場合に、前記電子機器が起動可能な範囲内に前記再生条件がないとき、前記再生条件を前記範囲内に修正するカスタマイズ条件変更手段と、を具備することを特徴とする。
【００１１】
請求項２記載による発明は、前記再生条件は音声データの音量に関するものであり、前記カスタマイズ条件変更手段は、前記再生条件変更手段により指定された前記音声データの前記音量が、所定の音量より大きいと判断された場合は、前記再生条件の前記音量を小さくするように前記再生条件を修正することを特徴とする。
【００１２】
請求項３記載による発明は、前記再生条件は動画像データのフレームレートに関するものであり、前記カスタマイズ条件変更手段は、前記再生条件変更手段により指定された前記動画像データの前記フレームレートが、所定のフレームレートより高いと判断された場合は、前記再生条件の前記フレームレートを低くするように前記再生条件を修正することを特徴とする。
【００１３】
請求項４記載による発明は、前記再生条件は前記再生手段で再生されるデータのファイル形式に関するものであり、前記カスタマイズ条件変更手段は、前記再生条件変更手段により指定されたファイル形式が所定のファイル形式以外のものであると判断された場合は、前記再生条件の前記ファイル形式を前記所定のファイル形式に修正することを特徴とする。
【００１４】
請求項５記載による発明は、前記カスタマイズ条件変更手段により前記修正された前記再生条件は、前記再生条件の修正内容に基づき前記起動画面のプレビューを再生するとともに前記修正の警告表示をすることを特徴とする。
【発明の効果】
【００１５】
本発明によれば、利用者が自分のお気に入りの動画像データなどを起動画面にカスタマイズすることが可能な電子機器で、起動時の負荷を低減させるようにカスタマイズを制限することにより、電子機器が電池・バッテリーの状態によって起動しなくなることを未然に防げる。
【発明を実施するための最良の形態】
【００１６】
（実施形態１）
以下、本発明の実施例について図面を参照して説明する。尚、本実施例では、デジタルカメラを例とするが、ビデオ、携帯電話などの電子機器で用いてもかまわない。
【００１７】
図１はデジタルカメラに適用した場合のブロック図である。デジタルカメラ１はバッテリー２を備え、撮像部３、カード４、ＤＳＰ部５（Digital Signal Processor）、システムＬＳＩ６、スピーカ７、マイク８、液晶モニタ９、フラッシュＲＯＭ１０、ＳＤＲＡＭ１１（Synchronous DRAM）等から構成されている。
【００１８】
バッテリー２は、デジタルカメラの電源部で、乾電池またはリチウム電池パック（ＣＲ−Ｖ３等）、リチャージャブルバッテリー（リチウムイオン等）を用いることが可能である。
【００１９】
撮像部３は、光学系により結像した被写体像をＣＣＤ（Charge Coupled Device：電荷結合デバイス）またはＭＯＳ型撮像素子などの撮像素子を用いて、撮影した映像を光信号から電気信号に変換しシステムＬＳＩ６に入力する。入力した電気信号はアナログ信号からデジタル信号に変換し、デジタル信号を画像処理して、撮像制御部１２によって揮発性メモリＳＤＲＡＭ１１に記憶する。
【００２０】
上記光電変換された信号は、画像サイズの変更、シャープネス補正、ガンマ補正、コントラスト補正、ホワイトバランス補正等の画像処理を画像処理部１３で行う。
また、上記ＳＤＲＡＭ１１に記憶するための画像処理である、画像データの圧縮・伸張を画像処理部１３により行う。
【００２１】
メモリカード４は、カードＩ／Ｆ（カードインタフェース）１４を介して圧縮画像データを記憶する。圧縮画像データを記憶する記録媒体としてＳＤメモリーカード、マルチメディアカード（ＭＭＣ）、コンパクトフラッシュ（登録商標）、スマートメディア、メモリースティック等を用いる。また、記録画像形式はＪＰＥＧ、Ｍｏｔｉｏｎ−ＪＰＥＧ（ＭＯＶ）などの方式で記録をする。また、ＤＣＦ１．０やＤＰＯＦ（Ｖｅｒ．１．１）のプリント機能に対応している。
【００２２】
尚、メモリカードのインタフェースはＰＣＭＣＩＡ（Personal Computer Memory Card International association）の標準に従ったインタフェース機能等を有している。
ＤＳＰ部５は、ＤＳＰＩ／Ｆ部（ＤＳＰインタフェース）１５を介して音声データの圧縮・伸張を行う。ＤＳＰ部５は信号処理を高速に処理するデバイスであれば、ＦＰＧＡやＰＬＤのようなプログラマブルデバイスを使用してもかまわない。音声Ｉ／０制御部１６は、音声の記録、再生をマイク７、スピーカ８の制御を行う。マイク７では集音された音声を所定のフォーマットに従い、ＤＳＰ部５により音声圧縮処理を行いＳＤＲＡＭ１１に保存する。また、スピーカ８には保存した音声データを再生する処理を行う。
【００２３】
表示制御部１７は、液晶モニタ９の駆動制御を行い、表示画面で利用者が指定した指示などをＣＰＵ部１８に伝達し、所定のプログラムに従い動作を行う。
ＣＰＵ部１８は、電源投入時にフラッシュＲＯＭ１０から所定のプログラムをブートロードし実行する。すなわち、ＣＰＵ部１８は、フラッシュＲＯＭ１０から制御プログラム、調整データ等を読込み、所定のプログラムを順に実行しデジタルカメラ全体の制御を行う。
【００２４】
制御プログラムは、デジタルカメラ各部の制御を行うプログラムであり、また、起動画面の初期設定値等を有する。調整データは、デバイスの個体差を吸収するパラメータが工場にて設定され保存されている。
【００２５】
フラッシュＲＯＭ１０には、上記制御プログラムの記憶領域、調整データの記憶領域の他に、データ領域を有し、ユーザ設定情報領域、カスタム画像データ記憶領域等の領域を確保する。ユーザ設定情報領域は、カメラの設定情報を保存するデータ領域で、ユーザが選択した起動画面や音量の情報をデータとして保存する領域である。また、カスタム画像データ記憶領域は、ユーザが選択した「お気に入り」の起動画面が保存される領域である。
【００２６】
ＳＤＲＡＭコントローラ１９は、物理的なアクセス制御の他、内部のバス２０の調停を行う。つまりＣＰＵ１８部や画像処理部１３等のリード・ライトタイミングを制御するために、アドレスバス、データバスの調停を行っている。
（実施例１）
上記構成によるデジタルカメラを例に図２、図３を用い消費電力の推移について説明をする。図２はデジタルカメラの電源オン時からの消費電力と時間を示した図である。電池・バッテリーの充電が十分である場合、起動時に利用者が起動画面を、デフォルト設定のままでも、カスタマイズしていても、起動時の消費電力はデジタルカメラが起動できなくなることはない。
【００２７】
しかし、電池・バッテリーが充電不足になると、起動時の消費電力が足りなくなり、デジタルカメラを起動できなくなる。
同図の横軸は時間を示し、縦軸は消費電力（Ｗ）を示している。まず、利用者が電源をオンすると同図の０〜ｔ１までの時間にシステムが立ち上がる。その後ｔ１〜ｔ２で、ＣＰＵ部１８は所定のプログラムを実行し、表示画面である液晶モニタ９等を起動させ、レンズのセットアップなどを行う。また、デフォルトの起動画面の設定に従って表示画面に、動画像データまたは静止画像データを表示し、動画像データや静止画像データに付いている音声などのデータも処理しスピーカから起動音を鳴らしたりする。
【００２８】
ｔ２〜ｔ３では、起動時のデジタルカメラのセットアップが終了し、次に利用者が機能を利用するまではあまり消費電力に変化がなく、ｔ３以降に撮影などを行うと消費電力に変化があらわれる。
【００２９】
通常、デジタルカメラのような電子機器において、起動時に電子機器各部の設定を行うために電流が起動時に最も多く流れる場合が多く、その電流に比例して消費電力が増加していく。図２では、ｔ１〜ｔ２が起動時の消費電力を示し、Ｐ１は上記説明した起動時の各部分の設定をするために必要とする消費電力を示している。
【００３０】
すなわち、該デジタルカメラが起動するためには、Ｐ１以上に消費電力を消費しなければよいし、起動画面の設定があってもＰ１以下の電力で十分であることがわかる。
次に、図３は利用者がカスタマイズした時の消費電力と時間の関係を示した図で、起動画面の設定が、図２のＰ１よりも電力を必要とする設定になってしまっている。
【００３１】
消費電力が増えた理由は、音声の調整を大音量にしている。また、動画像データなどのフレームレートが多くなっていることなどがあげられる。
図２、図３で説明した設定のデジタルカメラを、同じ条件の充電不足の電池・バッテリーを使用して起動し、起動時の利用できる電力がＰ１まであるとすれば、図３に示したカスタマイズの場合には、デジタルカメラは起動できないことがわかる。
【００３２】
次に、図４を用い図３で説明した起動画面のカスタマイズについて説明する。
利用者は、起動画面設定画面を用いて、起動時に再生する動画像データや静止画像データなどの音量を指定できる構成となっている。例えば、起動画面をカスタマイズする場合は、「なし」「画面１」「画面２」「お気に入り」の表示ボタンを使用する。「なし」を選択するときは動画像データや静止画像データを設定しない。「画面１」「画面２」はあらかじめ制御プログラム内に組み込まれているデフォルトの動画像データを選択するときに使用する表示ボタンである。また、「お気に入り」の表示ボタンを選ぶと、メモリカード４内に記憶されている、利用者が記憶したお気に入りの動画像データなどから任意の動画像データを選択することができる。
【００３３】
選択された動画像データはフラッシュＲＯＭ１０上のカスタム画像データ記憶領域に記憶される。
また、利用者は音量指定を「大」「小」「音なし」により指定することで、起動時の音量を変えることができ、この情報は音声Ｉ／Ｏ制御部１６において音量調整を行う。例えば、オペアンプのゲイン調整がされ、相応の音量でスピーカから再生される。
【００３４】
また、画面指定情報、音量指定情報でどのような選択したかも情報として、フラシュＲＯＭ１０上の「ユーザ設定情報領域」に記憶され、デジタルカメラが起動する際に、フラッシュＲＯＭ１０上に記憶された情報に従い起動処理を行う。
【００３５】
次に、利用者がカスタマイズを行う場合に、利用者が指定した動画像データと共に再生される音声が、大音量の設定でカスタマイズされている場合、電子機器の起動時の電力負荷が大きくなり、起動できなくなる可能性が高まることを防ぐために、起動音量の制限をする。
【００３６】
例えば、指定された動画像データとともに再生される音声の音量を、利用者が指示により設定したときに、設定された音量をチェックする。このチェックの際に利用者によって指示された音量が、所定の音量より大きいと判断した場合、すなわち、起動時に無駄に音量が大きい場合や、起動できないほどの音量に設定されていると判断すれば、カスタマイズの際に音量設定で選択可能な設定を制限する。図４のような表示画面であれば、「大」「小」「音なし」の３つのうち「大」の指定ができないように制限するなどの処理を行う。尚、上記所定の音量は、起動時の消費電力を抑えるため設けたもので、音量の制限をする閾値である。この閾値は固定値として決めておいてもかまわないし、電池・バッテリーの残容量を制御プログラムの余り時間を利用して確認し、その確認結果に基づき決定してもかまわない。
【００３７】
また、起動時の設定音量がさらに大音量の指定である場合は、「大」だけでなく「小」も指定できないように処理を行う。それでも音量が大きすぎるときは起動音を強制的に「音なし」とする処理を行う。
【００３８】
上記を図５のフローチャートを用いて説明する。
ステップＳ５１で、利用者がカスタマイズした際に選択した動画像データの音量解析を行う。音量解析は、起動音量の最大値を算出してもかまわないし、起動動画像データ再生時間内の起動音量の移動平均から最大値を算出してもかまわない。
【００３９】
ステップＳ５２では、Ｓ５１で音量解析した結果により、音量が所定の音量以上かを判定する。所定の音量より音量が大きければＹＥＳとしステップＳ５３に進み、Ｎｏなら終了する。
【００４０】
ステップＳ５３では、音量設定を「なし」に強制的に変更し、音量指定の選択ができないようにする。ここでＳ５３では音量設定を「なし」に設定しているが、「大」「小」「音なし」の３つの音量指定を電池・バッテリーの残量とカスタマイズ設定の音量指定以外の設定情況に合わせて、「大」「小」「音なし」の音量指定を制限してもかまわない。
【００４１】
ステップＳ５４では、「音なし」の場合に音量指定ができないことを利用者に通知する。
上記構成により、利用者が指定した動画像データに含まれる音声データなどが、大音量の設定でカスタマイズされている場合、電子機器の起動時の電力負荷が大きくなり、起動できなくなる可能性が高まる。そこで、指定された動画像データに含まれる音声データをチェックし、所定の音量より大きいと判断した場合、音量指定で選択可能な設定制限する。
【００４２】
起動音量が必要以上に大きくなることを防ぎ、起動できなくなるような状況を解消できる。また、起動時にバッテリーチェックを行わなくて済むので、起動時間を短縮できる。
（実施例２）
次に、利用者によって指定された起動時の動画像データのフレームレートが高すぎて、消費電力が必要以上に大きいためにデジタルカメラが起動できない場合、例えば、カスタマイズの際、利用者が起動動画像データのフレームレートを３０フレーム／Ｓｅｃと設定した場合に起動できないとすると、動画像データのフレームレートを下げることにより動画像データの画像処理の負荷を減らすことができる。
【００４３】
動画像データのフレームレートが下がれば、画像処理する画像の枚数が減りデータ転送などの時間が軽減される。そこで、 起動時の動画像データをフラッシュＲＯＭ上に書込む際に、所定のフレームレート以上であれば動画像データの間引きを行う。
【００４４】
その後、間引きをした動画像データをフラッシュＲＯＭのメモリ上に設けた「カスタム画像データ記憶領域」に記憶する。尚、所定のフレームレートは指定された動画像データを記憶する際に、フレームレートを例えば１５フレーム／Ｓｅｃ相当に間引いて記憶するように決めておく。所定のフレームレートは起動時の消費電力を抑えるために設けたもので、固定値として決めておいてもかまわないし、電池・バッテリーの残容量を制御プログラムの余り時間を利用して確認し、その確認結果に基づき決定してもかまわない。
【００４５】
図６のフローチャートを用いて上記の説明をする。
ステップＳ６１で、利用者がカスタマイズを行った際の動画像データのフレームレートを調べる。
【００４６】
ステップＳ６２では、１秒間のフレーム数が所定の枚数以上かを判定する。例えば、１５フレーム／Ｓｅｃ以上であるかどうか。もし、１５フレーム／Ｓｅｃ以上であればＹＥＳでＳ６３に進み、ＮｏならＳ６４に進む。
【００４７】
ステップＳ６３では、所定のフレームレートに強制的に変更する。本例では３０フレーム／Ｓｅｃを１５フレーム／Ｓｅｃに変更する。この作業はＳＤＲＡＭ１１上に一時保存して編集を行ってもかまわないし、ＣＰＵ１８の内部メモリを利用して編集してもかまわない。
【００４８】
ステップＳ６４では、フレームレートを変換した動画像データをフラッシュＲＯＭ１０の「カスタム画像データ記憶領域」に保存する。
上記処理を行うことで、起動動画像データの画像処理を少なくすることが出来るので、起動時の消費電力をおさえることができる。また、フラッシュＲＯＭ１０に記憶する動画像データの量が減る。さらに、動画像データのＤＭＡ（Direct Memory Access）転送量が減って起動時間削減という効果もある。尚、動画像データだけでなく、音声データのサンプリングレートを間引いてもよい。
【００４９】
尚、利用者によって指定された動画像データのフレーム数が多い場合に、指定された動画像データを  記憶するに際し、フレームレートを相当に間引いて記憶するようにする。
（実施例３）
利用者が、ＭＰ３フォーマット（MPEG1 Audio Layer３）の音声データを含むデータを起動画面として指定した場合、音声データ再生のためには、デジタル信号処理を行うデバイスを使った変換動作を行う必要があり、起動時の負荷が多大となって起動できなくなってしまう。
【００５０】
そこで、フラッシュＲＯＭ１０上の「カスタム画像データ記憶領域」に、指定された動画像データを記憶するに際に、ＭＰ３フォーマットの音声データを変換してＷＡＶフォーマット（音声生データ）として記憶する。
【００５１】
図７のフローチャートを用いて説明する。
ステップＳ７１で、利用者がカスタマイズを行った際の動画像データのファイル形式を確認する。
【００５２】
ステップＳ７２では、Ｓ７１で確認した動画像データの結果がＭＰ３フォーマットであるかを判定し、ＹＥＳならＳ７３に進み、ＮｏならＳ７４に進む。
ステップＳ７３では、ＭＰ３フォーマットをデコードしＷＡＶフォーマットにする。
【００５３】
ステップＳ７４では、Ｓ７３で変換したＷＡＶフォーマットのデータをフラッシュＲＯＭ１０の「カスタム画像データ記憶領域」に保存する。
上記処理により起動時にＭＰ３フォーマットからＷＡＶＥフォーマットへのファイル変換処理を行わなくて済むので低消費電力化がはかれ、起動時間も短縮できる。
【００５４】
尚、他の画像圧縮フォーマットについても同様のことがいえる。例えば、ＭＰＥＧ４フォーマットの圧縮伸張を行う際に、システムＬＳＩの外付け回路としてＭＰＥＧ４フォーマットの圧縮伸張機能を用意し、ＭＰＥＧ４フォーマットをＭｏｔｉｏｎ−ＪＰＥＧフォーマットに変換して記憶した方が電力消費を少なくできる。
【００５５】
尚、利用者が、例えば、ＭＰ３形式の音声データを含むデータを起動画面として指定した場合、音声再生のためには、変換動作を行う必要があり、起動時のＣＰＵ負荷や電力消費は多大となってしまう。そこで、フラッシュＲＯＭ上の「カスタム画像データ記憶領域」に、指定された動画像データを記憶するに際に、ＭＰ３形式の音声データを変換してＷＡＶ形式（音声生データ）として記憶するようにした。
【００５６】
起動時に伸張処理を行わなくて済むので低消費電力化がはかれる。なお、画像圧縮形式についても同様のことがいえる。
（実施例４）
上記発明は、利用者が「お気に入り」の動画像データの再生方法をカスタマイズの際に、デジタルカメラなどの電子機器が起動できなくならないように、制限を設たり、再生方法を変更するなどしてから、所定のメモリ領域に記憶するものである。
【００５７】
しかし、これでは利用者が設定を行った結果が、実際の設定とが違ってくるため、利用者のカスタマイズ結果のプレビュー再生を行うとともに、画質あるいは音質が変わる旨の警告を行うことで、利用者は編集結果をカスタマイズした結果をその時に知ることができるようにする。
【００５８】
上記構成によれば、お気に入りの動画像データ再生方法を故意に編集し所定の領域に記憶するものである。そこで、編集結果のプレビュー再生を行うとともに画質あるいは音質が変わる旨の警告を行うようにした。編集結果をカスタマイズ設定時に知ることができるようにした。従来技術に見受けられたように、起動時の状態によってはじめてその制約を知るようなことがなくなり、操作者は起動時に違和感を覚えることがない。
【００５９】
尚、起動音量等の設定条件を必要以上にすることを防ぎ、電子機器が起動できなくなるような状況を解消でき、起動時間を短縮できる。さらに、画像処理あるいは音声再生処理を少なくすることが出来るので、起動時の消費電力を抑制でき、また、前もってデータ変換を行うことで、起動時に伸張処理を行わなくて済むので低消費電力化がはかれる。そして、カスタマイズした結果をカスタマイズ後にすぐに知ることができ、起動時の状態によってはじめてその制約を知るようなことがなくなり、利用者は起動時に違和感を覚えることがない。
【００６０】
本発明は、上記実施の形態に限定されるものでなく、本発明の要旨を逸脱しない範囲内で種々の改良、変更が可能である。
【図面の簡単な説明】
【００６１】
【図１】実施形態１のデジタルカメラに適用した場合構成を示したブロック図である。
【図２】実施形態１の消費電力の推移を示した図である。
【図３】実施形態１のカスタマイズ時に消費電力が多くなったことを示した図である。
【図４】実施形体１の起動画面設定の表示例を示した図である。
【図５】実施例１のフローチャートである。
【図６】実施例２のフローチャートである。
【図７】実地例３のフローチャートである。
【符号の説明】
【００６２】
１  ・・・  デジタルカメラ
２  ・・・  バッテリー（電池）
３  ・・・  撮像部
４  ・・・  メモリカード
５  ・・・  ＤＳＰ部
６  ・・・  システムＬＳＩ
７  ・・・  スピーカ
８  ・・・  マイク
９  ・・・  液晶モニタ
１０  ・・・  フラッシュＲＯＭ
１１  ・・・  ＳＤＲＡＭ
１２  ・・・  撮像制御部
１３  ・・・  画像処理部
１４  ・・・  カードＩ／Ｆ
１５  ・・・  ＤＳＰＩ／Ｆ部
１６  ・・・  音声Ｉ／Ｏ制御部
１７  ・・・  表示制御部
１８  ・・・  ＣＰＵ部
１９  ・・・  ＳＤＲＡＭコントローラ
２０  ・・・  バス
【図１】
2006013785.tif 000003
【図２】
2006013785.tif 000004
【図３】
2006013785.tif 000005
【図４】
2006013785.tif 000006
【図５】
2006013785.tif 000007
【図６】
2006013785.tif 000008
【図７】
2006013785.tif 000009